(57)【要約】【課題】  座席を移動した場合でも設定操作を行わずに、今まで享受していたソースの情報を享受することができる「車載用オーディオ／ビデオシステム」を提供すること。【解決手段】  車室内の各座席に対応して設けられた複数の情報表示手段と、各情報表示手段に動作可能に接続され、それぞれ自己を固有に識別するＩＤ情報を有する複数のヘッドホンと、ヘッドホンを装着したユーザが享受し又は享受していたソースと当該ヘッドホンのＩＤ情報とを対応付けた管理テーブルと、制御手段とを備えたシステムにおいて、該制御手段により、いずれかの座席からＩＤ情報を受信したときに（Ｓ５）、管理テーブルを参照して、受信したＩＤ情報から、当該座席に着座したユーザが座席移動前に享受していたソースを特定し（Ｓ７）、当該座席に対応する情報表示手段及びヘッドホンに対し、特定したソースの映像／音声に切り替えて出力させる。【選択図】  図５
2007008289.tif 000002
【特許請求の範囲】
【請求項１】
車室内の各座席に対応して設けられ、それぞれ選択されたソースの動作状態に係る映像情報を表示する複数の情報表示手段と、
該複数の情報表示手段にそれぞれ動作可能に接続され、それぞれ自己を固有に識別するＩＤ情報を有すると共に、それぞれ選択されたソースの動作状態に係る音声情報を出力する複数のヘッドホンと、
いずれかのヘッドホンを装着したユーザが享受し又は享受していたソースと当該ヘッドホンのＩＤ情報とを対応付けた管理テーブルを格納するメモリ手段と、
前記情報表示手段及びメモリ手段に動作可能に接続された制御手段とを具備し、
前記制御手段は、いずれかの座席からヘッドホンのＩＤ情報を受信したときに、前記管理テーブルを参照して、受信した当該ＩＤ情報から、当該座席に着座したユーザが座席移動前に享受していたソースを特定し、当該座席に対応する情報表示手段及びヘッドホンに対し、特定したソースの映像／音声に切り替えて出力させることを特徴とする車載用オーディオ／ビデオシステム。
【請求項２】
前記制御手段に動作可能に接続された赤外線通信手段をさらに具備し、
前記制御手段は、前記赤外線通信手段と協働して、前記ヘッドホンのＩＤ情報の受信の有無を検出し、当該座席にユーザが着座しているか否かを判別することを特徴とする請求項１に記載の車載用オーディオ／ビデオシステム。
【請求項３】
前記複数の情報表示手段の各々は、車室内の各リヤ席のユーザ用に設けられた表示ユニットであり、各表示ユニットは、それぞれ前記メモリ手段及び制御手段を備えると共に、伝送路を介して相互に接続されていることを特徴とする請求項１に記載の車載用オーディオ／ビデオシステム。
【請求項４】
前記各表示ユニットにおける制御手段は、他の表示ユニットにおいて視聴されているソースが変更されたときに、当該メモリ手段に格納されている管理テーブルのデータのうち当該変更されたソースに対応するソース情報を更新することを特徴とする請求項３に記載の車載用オーディオ／ビデオシステム。
【請求項５】
前記各表示ユニットにおける制御手段は、他の表示ユニットにおいて視聴されているソースが変更された場合において当該リヤ席からヘッドホンのＩＤ情報を受信したときに、当該メモリ手段に格納されている管理テーブルのデータのうち当該変更されたソースに対応するソース情報を当該受信したＩＤ情報とリンクさせて更新することを特徴とする請求項３に記載の車載用オーディオ／ビデオシステム。
【請求項６】
前記制御手段は、車室内のフロント席のユーザ用に設けられた操作ユニットであり、該操作ユニットに前記メモリ手段を備えたことを特徴とする請求項１に記載の車載用オーディオ／ビデオシステム。
【発明の詳細な説明】
【技術分野】
【０００１】
本発明は、車載用オーディオ／ビデオ（Ａ／Ｖ）システムに係り、特に、車室内のリヤ席のユーザに対してＣＤプレーヤやラジオ受信機等から出力される音声（オーディオ）情報、ＤＶＤプレーヤやＴＶ受信機等から出力される映像（ビデオ）情報などの各種エンターテイメントを提供する車載用Ａ／Ｖシステムに関する。かかるシステムは、リヤ・エンターテイメント・システム（ＲＥＳ：Rear Entertainment System ）、又はリヤ・シート・エンターテイメント（ＲＳＥ：Rear Seat Entertainment ）とも呼ばれている。
【背景技術】
【０００２】
上記のＲＥＳ（もしくはＲＳＥ）は一般には高級大型車向けに提供されており、このシステムには、リヤ席に搭乗しているユーザがＡ／Ｖソースの選択や音量調整等の操作を行うための操作ユニット、選択されたソースから出力されるオーディオ信号に応じた音声を受聴するためのヘッドホン、同じくソースから出力されるビデオ信号に応じた映像を表示するディスプレイなどが用意されている。操作ユニットの形態としては、ユーザが着座する座席の近傍に各座席毎に１台、あるいは複数のユーザに共用させる形で１台、固定的に設けられた「操作パネル」が用いられる場合もあるが、操作性を高めるためにリモートコントローラ（リモコン）が用いられる場合が多い。また、ヘッドホンの形態としては、操作ユニットのフロントパネルに設けられた端子にジャックを接続して使用するタイプのものもあるが、多くの場合、ユーザの利便性を考慮して「ワイヤレス」タイプのヘッドホンが用いられている。特に、より高級化された大型車で座席数が多くなってくると、ワイヤレスヘッドホンが使用される傾向にある。以下の記述において特に定義していない限り、単に「ヘッドホン」というときは、ワイヤレスヘッドホンを指すものとする。
【０００３】
かかる車載用Ａ／Ｖシステムにおいて、リヤ席のユーザが操作ユニットを操作し、ヘッドホン／ディスプレイにどのソースのオーディオ／ビデオ情報を出力させるかを選択指示し、また、ヘッドホン／ディスプレイに出力されているオーディオ／ビデオ情報に係るソースに対して操作指示（シーク・アップ／ダウン、音量調整等）を与えることにより、その指示に基づいて選択もしくは変更されたソースの動作状態が、ヘッドホンを通して受聴され、またディスプレイ画面を通して表示される。フロント側についてもリヤ側と同様に操作ユニットやディスプレイ等を備えているが、ヘッドホンを使用する代わりに、車室内の所定の位置に設置されたスピーカを介してオーディオ情報を出力させる点で相違する。この場合、フロント側の操作ユニットからの選択／操作指示が与えられたソースの動作状態が、スピーカを通して受聴され、またディスプレイ画面を通して表示される。
【０００４】
このように従来のリヤ・エンターテイメント・システム（ＲＥＳ）もしくはリヤ・シート・エンターテイメント（ＲＳＥ）では、リヤ席に搭乗しているユーザは、専用に設けられたヘッドホン／ディスプレイを通して所望のＡ／Ｖソースの情報を見たり聴いたりすることができるが、このためには、上述したように自ら当該操作ユニットを操作して所望のソースの選択やその動作等に係る設定操作を行う必要があった。そして、かかる設定操作及びそれに基づく選択ソースの出力情報の享受は、そのユーザが当該座席で専用のヘッドホン／ディスプレイを使用している間のみ有効であった。
【０００５】
このため、リヤ席のユーザがいったん設定操作をして所望のソースの情報を享受していた場合でも、車の乗り降り等で別のリヤ席に移動した後に今まで享受していたソースの情報を享受しようとする際には、再度、その移動後の座席で専用の操作ユニットを操作して当該ソースの選択等に係る設定操作を行わなければならなかった。このような状況は、車の乗り降り以外にも、例えば、Ｍｉｎｉ−ｖａｎやＳＵＶなど "Walk Through" 構造が当たり前となっている大型車両の走行中に車室内移動を行う際にも起こり得る。
【０００６】
なお、上記の車載用Ａ／Ｖシステムに関連する技術として、例えば、特許文献１に記載されるように、車載用音響装置において、操作部により選択された車両内のシートポジションに対応した表示パターンデータを表示部に表示するとともに、上記シートポジションに対応して車両内に配置されたスピーカから出力される音声信号の信号レベル及び遅延時間を信号処理回路により調整するようにしたものがある。
【特許文献１】特開平１０−３２８９８号公報
【発明の開示】
【発明が解決しようとする課題】
【０００７】
上述したように従来の車載用Ａ／Ｖシステムでは、リヤ席のユーザは、操作ユニットを操作して所要の設定操作を行うことで所望のＡ／Ｖソースの情報を、他のリヤ席のユーザが同じＡ／Ｖソースを選択しているかどうかにかかわらず、専用のヘッドホン／ディスプレイを通して見たり聴いたりすることができるというメリットがあった。
【０００８】
しかしながら、その設定操作及びそれに基づくソース情報の享受は、そのユーザが当該リヤ席で専用のヘッドホン／ディスプレイを使用している間のみ有効であったため、いったん設定操作をして所望のソースの情報を享受しているときに、自分が着座しているリヤ席の移動が伴うような状況（大型車両での車室内移動、車の乗り降り等）が生じた場合、今まで享受していたソースの情報を享受するためには再度設定操作を行わなければならないといった不都合があった。
【０００９】
本発明は、かかる従来技術における課題に鑑み創作されたもので、座席を移動した場合でも設定操作を行わずに、今まで享受していたソースの情報を享受することができる車載用オーディオ／ビデオシステムを提供することを目的とする。
【課題を解決するための手段】
【００１０】
上記の従来技術の課題を解決するため、本発明に係る車載用オーディオ／ビデオ（Ａ／Ｖ）システムは、車室内の各座席に対応して設けられ、それぞれ選択されたソースの動作状態に係る映像情報を表示する複数の情報表示手段と、該複数の情報表示手段にそれぞれ動作可能に接続され、それぞれ自己を固有に識別するＩＤ情報を有すると共に、それぞれ選択されたソースの動作状態に係る音声情報を出力する複数のヘッドホンと、いずれかのヘッドホンを装着したユーザが享受し又は享受していたソースと当該ヘッドホンのＩＤ情報とを対応付けた管理テーブルを格納するメモリ手段と、前記情報表示手段及びメモリ手段に動作可能に接続された制御手段とを具備し、前記制御手段は、いずれかの座席からヘッドホンのＩＤ情報を受信したときに、前記管理テーブルを参照して、受信した当該ＩＤ情報から、当該座席に着座したユーザが座席移動前に享受していたソースを特定し、当該座席に対応する情報表示手段及びヘッドホンに対し、特定したソースの映像／音声に切り替えて出力させることを特徴とする。
【００１１】
本発明に係る車載用Ａ／Ｖシステムによれば、各座席毎に設けられた情報表示手段に動作可能に接続されたヘッドホンに、当該ヘッドホンを固有に識別するＩＤ情報をもたせ、さらに、いずれかのヘッドホンを装着したユーザが享受し又は享受していたソースと当該ヘッドホンのＩＤ情報とを対応付けた管理テーブルを備えている。これにより、例えば、リヤ席のユーザがいったん設定操作をして所望のソースの映像／音声情報を享受していた場合において、別のリヤ席に移動した場合でも、制御手段により、その移動後の座席（リヤ席）で受信したＩＤ情報から、管理テーブルを参照して、当該リヤ席に着座したユーザが座席移動前に享受していたソースを特定することができ、この結果に基づいて当該ソースの映像／音声に切り替えて出力させることができる。
【００１２】
つまり、いったん設定操作をして所望のソースの情報を享受していた場合において別の座席に移動したときに、その移動後の座席で再度設定操作を行わなくても、制御手段の機能により今まで享受していたソースの情報を引き続き享受することが可能となる。このことは、ユーザメリットの向上に寄与する。
【発明を実施するための最良の形態】
【００１３】
以下、本発明の実施の形態について、添付の図面を参照しながら説明する。
【００１４】
図１は本発明の一実施形態に係る車載用オーディオ／ビデオ（Ａ／Ｖ）システムの構成を概略的に示したものである。
【００１５】
本実施形態に係る車載用Ａ／Ｖシステム５０は、各種のＡ／Ｖソース（図示の例では、ラジオ受信機１、ＣＤプレーヤ２、ＤＶＤプレーヤ３、ＴＶ受信機４及びナビゲーションユニット５）に対してフロント席の搭乗者がソース選択や音量・音質調整等の各種設定操作を行うためのフロント席用操作ユニット（ヘッドユニット（Ｈ／Ｕ））１０と、同じくＡ／Ｖソース（ナビゲーションユニット５を除く）に対してリヤ席の搭乗者が各種設定操作を行うためのリヤ席用操作ユニット２０と、フロント席用表示ユニット１５と、アンプユニット１６と、スピーカ１７と、リヤ席用表示ユニット３０と、ワイヤレスヘッドホン４０とを備えて構成されている。各ソース１〜５、フロント席用操作ユニット１０、各表示ユニット１５，３０及びアンプユニット１６は、伝送路として供される光ファイバ等のバス６を介して相互に接続されている。
【００１６】
図示の例では、スピーカ１７は１個のみ示されているが、実際には車室内の所定の場所に所要の個数、例えば、リヤ席が３列の場合であれば少なくとも各リヤ席の左右の近傍とフロント席の左右の近傍にそれぞれ２個ずつ、計８個のスピーカ１７が設置されている。リヤ席用の操作ユニット２０、表示ユニット３０及びワイヤレスヘッドホン４０についても同様に、それぞれ１台（１個）のみ示されているが、実際にはリヤ席の搭乗者数に応じて所要の個数、例えば、リヤ席が３列の場合であれば各リヤ席の左右の搭乗者用にそれぞれ２台（２個）ずつ、計６台（６個）の操作ユニット２０、表示ユニット３０及びワイヤレスヘッドホン４０がそれぞれ設けられている。
【００１７】
フロント席用操作ユニット（Ｈ／Ｕ）１０は、運転者と助手席の搭乗者が共用できるようにセンターコンソールのほぼ中間位置に「操作パネル」の形態で設置されており、その対応する表示ユニット１５は、その操作パネル（Ｈ／Ｕ）の上方に配置されている。この表示ユニット１５は、ＤＶＤプレーヤ３やＴＶ受信機４などの映像ソースから出力された映像情報をディスプレイ画面に表示するＬＣＤモニタ等を有しており、また、必要に応じて、そのディスプレイ画面をフロント席の各搭乗者の方向に回転させる駆動機構も備えている。
【００１８】
一方、リヤ席用操作ユニット２０は、リヤ席の搭乗者が操作し易いように「リモコン」の形態で設けられており、これに対応するリヤ席用表示ユニット３０と赤外線通信により接続されている。このリヤ席用表示ユニット３０は、前の座席のヘッドレストの後部に設置されており、フロント側の表示ユニット１５と同様に映像情報をディスプレイ画面に表示するＬＣＤモニタ等を有している。リヤ席用表示ユニット３０の内部構成については後で説明する。また、この表示ユニット３０は、その対応するワイヤレスヘッドホン４０と通信可能に接続されており、その通信の形態として、本実施形態では赤外線通信とＲＦ通信を併用している。このワイヤレスヘッドホン４０の内部構成についても後で説明する。なお、本実施形態ではリヤ席用表示ユニット３０を前の座席のヘッドレスト上に設置しているが、設置場所がこれに限定されないことはもちろんである。
【００１９】
各ソース１〜５は、基本的な動作として、フロント席用操作ユニット１０からバス６に送出された操作指示に係るデータ、あるいはリヤ席用操作ユニット（リモコン）２０から赤外線通信により表示ユニット３０を介してバス６に送出された操作指示に係るデータを受信し、その操作指示に係るデータに基づいて自己の動作状態を設定もしくは変更し、その結果（現在の動作状態）を指示するデータをオーディオ／ビデオ信号としてバス６に送出する。例えば、ラジオ受信機１の場合、操作ユニット１０，２０から与えられる操作指示に応答して、ＦＭ放送やＡＭ放送の信号を受信して復調することにより音声信号を生成し、これをデジタルの音声データに変換して、バス６に送出する。また、ＤＶＤプレーヤ３の場合、操作ユニット１０，２０から与えられる操作指示に応答して、ユーザにより選択されたＤＶＤの記録面に記録された信号を読み取り、再生された映像データをバス６に送出する。
【００２０】
フロント席用操作ユニット（Ｈ／Ｕ）１０は、制御部１１と、操作部１２と、表示部１３と、メモリ部１４とを備えている。このうち、操作部１２は、各ソース１〜５に対して各種設定操作を行うための各種操作キー、例えば、電源のオン／オフ及び音量調整を行うための電源キー、各ソースを選択するためのソース選択キー、数字キー、所定の機能を行わせるためのプリセットキー、矢印が付されたシフトキー（矢印の部分を操作することでＦＦ／ＲＥＷ動作、シーク・アップ／ダウン動作等の操作を指示する）等を備えている。表示部１３は、操作パネル（Ｈ／Ｕ１０）上にＬＣＤ等の形態で配置されており、制御部１１から出力されるデータに基づいて、各種情報、例えば、ラジオ受信機１に関してはＦＭ／ＡＭの種別やその放送局の受信周波数など、ＣＤプレーヤ２に関してはＣＤ演奏時のディスク番号や再生位置（トラック数、経過時間等）などを表示する。
【００２１】
メモリ部１４には、フロント席用操作ユニット（Ｈ／Ｕ）１０において電源をオフにする旨の指示がなされ、選択ソースからのオーディオ／ビデオ信号の出力動作が停止された時点での音声／映像（Ａ／Ｖ）情報の取得状態を示すデータ（便宜上、「Ａ／Ｖ取得状態データ」という。）が格納される。このＡ／Ｖ取得状態データは、次の電源オン時に必要に応じて参照するために格納される。このＡ／Ｖ取得状態データには、例えば、いずれのソースを使用していたかを指示する「ソース種別」、オーディオソースであればその音声を聴取していた際の音量や音質の調整値を指示する「音量・音質」、各ソース別の詳細なＡ／Ｖ取得状態を指示する「ソース別詳細情報」等が含まれる。ソース別詳細情報には、例えば、ラジオ受信機１を使用していた場合であれば、ＦＭ／ＡＭの種別や放送局（受信周波数）の情報等が含まれる。
【００２２】
制御部１１は、本実施形態のＡ／Ｖシステム５０全体の制御を行うものであり、基本的には、操作部１２を介して与えられた操作指示に基づき、選択ソースからバス６を介して送られてくるＡ／Ｖデータを取得してＡ／Ｖ情報の再生を行う動作、操作状況や動作状態等を指示する情報を表示部１３に表示させる動作、Ａ／Ｖ取得状態データの格納動作や読み出し動作等の制御を行う。この場合、取得されたオーディオデータは、制御部１１によりバス６を介してアンプユニット１６に送られ、適宜Ｄ／Ａ変換され、また音量や音質等の制御が行われ、増幅された後、スピーカ１７を通して音声出力される。また、取得されたビデオデータは、制御部１１によりバス６を介してフロント席用表示ユニット１５に送られ、そのディスプレイ画面に映像情報として表示される。
【００２３】
一方、リヤ席用操作ユニット（リモコン）２０は、特に図示はしないが、フロント側の操作部１２と同等の構成及び機能を有する操作部と、この操作部から入力された操作指示に応じた信号を赤外線通信により表示ユニット３０に向けて送信するための赤外線送信部とを備えている。
【００２４】
次に、リヤ席用表示ユニット３０の内部構成について説明する。
【００２５】
図２はその一構成例を示したものであり、図示のようにリヤ席用表示ユニット３０は、マイクロコンピュータ（マイコン）等により構成された制御部３１と、赤外線通信部３２と、ＬＣＤモニタ等からなる表示部３３と、表示ドライバ３４と、ＲＦ送信部３５及びアンテナ３５ａと、メモリ部３６とを備えている。このうち、表示部３３は、制御部３１からの制御に基づき表示ドライバ３４を介して表示制御が行われ、フロント側の表示ユニット１５と同様に、ＤＶＤプレーヤ３やＴＶ受信機４などの映像ソースからバス６を介して取得した映像データ（情報）をディスプレイ画面に表示するものである。ＲＦ送信部３５は、制御部３１からの制御に基づいて、各ソース１〜４からバス６を介して取得した音声データを、アンテナ３５ａを介してワイヤレスヘッドホン４０に音声信号ＡＤとしてＲＦ送信するものである。
【００２６】
メモリ部３６には、フロント側のメモリ部１４と同様に、対応するリヤ席用操作ユニット（リモコン）２０において電源をオフにする旨の指示がなされ、選択ソースからのオーディオ／ビデオ信号の出力動作が停止された時点での音声／映像情報の取得状態を示すデータ（Ａ／Ｖ取得状態データ）が格納される。さらにメモリ部３６には、各リヤ席のユーザが享受し又は享受していたソースと、当該ソースの情報を享受するのに使用し又は使用していたワイヤレスヘッドホン４０のＩＤ情報とを１対１に対応付けた「管理テーブル」が格納される。この管理テーブルは制御部３１により作成され、また、必要に応じて制御部３１により参照され、更新される。また、この管理テーブルの内容は、他のリヤ席用表示ユニット３０にそれぞれ保有されている管理テーブルの内容と常に一致するように管理されている。
【００２７】
赤外線通信部３２は、パーソナルコンピュータ（ＰＣ）のインタフェースとして一般的に用いられているものと同等の構成を有しており、基本的には、送信すべきデータ（本実施形態では、制御部３１から供給されるデータ）に所定の変調を行って符号化するエンコーダと、この符号化されたデータを赤外線に変換して外部に放射する赤外線発光部と、外部から入力された赤外線をデータに変換する赤外線受光部と、この変換されたデータに所定の復調を行って復号化するデコーダとを備えている。赤外線発光部と赤外線受光部は、一体的にモジュール化されている。
【００２８】
この赤外線通信部３２は、特に図示はしないがリヤ席用表示ユニット３０のフロントパネルの下端部の近傍に設けられ、その発光部及び受光部を当該リヤ席の方に向けて配置されている。そして、発光部から放射される赤外線の放射距離が所定の距離となるように設定されている。この所定の距離は、当該リヤ席にユーザが着座した場合のそのユーザまでの距離に設定され、例えば、４０〜５０ｃｍ程度の距離に設定されている。これにより、発光部から当該リヤ席に向けて赤外線ＩＲを一定時間毎に放射すると、当該リヤ席にユーザが着座していれば赤外線ＩＲはユーザの体で反射され、ユーザが居なければ赤外線ＩＲは反射されないので、その赤外線ＩＲの反射の有無を受光部で検出することで、当該リヤ席にユーザが着座しているか否かを認識することができる。
【００２９】
あるいは、後述するようにワイヤレスヘッドホン４０から一定時間毎に放射されるＩＤ情報を含む赤外線ＩＤの有無を受光部で検出することで、当該リヤ席にユーザが着座しているか否かを認識するようにしてもよい。
【００３０】
制御部３１は、基本的にはフロント側の制御部１１と同等の制御を行う。すなわち、リモコン２０から赤外線通信部３２を介して与えられた操作指示に基づき、選択ソースからバス６を介して送られてくるＡ／Ｖデータを取得してＡ／Ｖ情報の再生を行う動作、操作状況や動作状態等を指示する情報を表示部３３に表示させる動作、Ａ／Ｖ取得状態データの格納動作や読み出し動作等の制御を行う。この場合、取得されたオーディオデータは、制御部３１によりＲＦ送信部３５及びアンテナ３５ａを介してワイヤレスヘッドホン４０にＲＦ送信され、該ヘッドホン４０において適宜Ｄ／Ａ変換され、音量等の調整が行われた後、ヘッドホンスピーカを通して音声出力される。また、取得されたビデオデータは、制御部３１により表示ドライバ３４を介して表示部３３に送られ、そのディスプレイ画面に映像情報として表示される。
【００３１】
さらに、この制御部３１は、本発明に関連する処理として、後述するようにリヤ席のユーザの座席移動の検出（すなわち、移動後どのリヤ席に着座したかの検出）及びそれに基づく映像／音声出力の切替制御を行う。この映像／音声出力の切替制御を行う際に、メモリ部３６に格納されている管理テーブルを参照する。
【００３２】
次に、ワイヤレスヘッドホン４０の内部構成について説明する。
【００３３】
図３はその一構成例を示したものであり、図示のようにワイヤレスヘッドホン４０は、制御部４１と、赤外線通信部４２と、出力される音声の音量をマニュアル調整するための音量操作部４３と、レジスタ４４と、音声信号ＡＤを受信するためのアンテナ４５ａ及びＲＦ受信部４５と、デジタル信号処理部（ＤＳＰ）４６と、左側及び右側の各ヘッドホンスピーカ４７Ｌ及び４７Ｒとを備えている。このうち、ＲＦ受信部４５は、制御部４１からの制御に基づき、アンテナ４５ａを介して受信された音声信号ＡＤの受信周波数の中からいずれか１つの受信周波数を選択し、中間周波増幅等の処理を施してＤＳＰ４６に出力する。ＤＳＰ４６では、制御部４１からの制御に基づき、入力された音声信号を左（Ｌ）音声出力用と右（Ｒ）音声出力用とに分離し、適宜遅延処理等を行った後、Ｄ／Ａ変換して各ヘッドホンスピーカ４７Ｌ，４７Ｒに出力する。
【００３４】
レジスタ４４には、当該ヘッドホン４０を固有に識別するための符号化（コード化）されたＩＤ情報が格納されており、このＩＤ情報は、必要に応じて外部からの入力設定に基づいて変更できるようになっている。この場合の外部からの入力設定は、対応するリモコン２０から赤外線通信により表示ユニット３０（赤外線通信部３２）を介し、さらに赤外線通信部４２及び制御部４１を介して行われる。
【００３５】
赤外線通信部４２の構成については、リヤ席用表示ユニット３０に内蔵されている赤外線通信部３２の構成と基本的に同じであるので、その説明は省略する。この赤外線通信部４２は、例えば、表示ユニット３０側から放射された赤外線ＩＲを検出したときに、制御部４１からの制御に基づいてレジスタ４４から読み出したＩＤ情報を赤外線出力に重畳させて放射する（ＩＤ情報を含む赤外線ＩＤ）。あるいは、本ヘッドホン４０を装着したユーザがリヤ席に着座したときに、制御部４１からの制御に基づいてこの赤外線ＩＤを当該表示ユニット３０に向けて一定時間毎に放射するようにしてもよい。
【００３６】
従って、本ヘッドホン４０を装着したユーザがリヤ席に着座すると、表示ユニット３０側からの赤外線ＩＲに応答して放射された赤外線ＩＤ、あるいは自発的に放射された赤外線ＩＤは、当該表示ユニット３０の赤外線通信部３２（受光部）で検出される。これにより、当該表示ユニット３０の制御部３１では、メモリ部３６に格納されている管理テーブルを参照して、当該リヤ席に着座したユーザが装着しているヘッドホン４０のＩＤ情報から、そのユーザが座席移動前に享受していたソースを特定し、その結果に基づいて映像／音声出力の切替制御を行う。
【００３７】
以上のように構成された車載用Ａ／Ｖシステム５０において、リヤ席用表示ユニット３０の表示部３３は「情報表示手段」に、リヤ席用表示ユニット３０のメモリ部３６又はフロント席用操作ユニット１０のメモリ部１４は「メモリ手段」に、リヤ席用表示ユニット３０の制御部３１又はフロント席用操作ユニット１０の制御部１１は「制御手段」に、それぞれ対応している。
【００３８】
本実施形態に係る車載用Ａ／Ｖシステム５０では、後述するように、リヤ席のユーザがいったん設定操作をして所望のソースの情報を享受している（又は享受していた）場合において、別のリヤ席に移動したときにその移動後の座席で再度設定操作を行わなくても、自動的に、今まで享受していたソースの映像／音声を当該表示ユニット３０（ＬＣＤモニタ等）及びワイヤレスヘッドホン４０を通して享受できるようにしている。
【００３９】
図４は、リヤ席のユーザの座席移動に伴うソース出力の自動切替に係る画面表示の一例を示したものである。図示の例では、ワイヤレスヘッドホン４０を装着したユーザが、先ずリヤ席の左側の座席に着座していて、対応するリモコンからの設定操作に基づき選択されたＤＶＤの映像を対応するディスプレイ画面３０ａ（表示ユニット３０）で見ていた場合において（図４（ａ）参照）、車の乗り降りや車室内移動等により別のリヤ席（右側の座席）に移動したときに（図４（ｂ）参照）、その移動後の座席で、今まで見ていたＤＶＤの映像を対応するディスプレイ画面３０ｂ（表示ユニット３０）で引き続き見ている様子を示している。
【００４０】
以下、本実施形態に係る車載用Ａ／Ｖシステム５０において行うリヤ席のユーザの座席移動の検出及びそれに基づく映像／音声出力の切替に係る処理について、その処理フローの一例を示す図５を参照しながら説明する。
【００４１】
この処理フローでは、便宜上、任意のいずれか１台のリヤ席用表示ユニット３０を主体として説明する。また、前提条件として、各リヤ席のユーザが設定操作をしてそれぞれ所望のソースの情報を既に享受しており、各表示ユニット３０の制御部３１によりそれぞれ同一内容の管理テーブル（すなわち、各リヤ席のユーザが享受していたソースと、当該ソースの情報を享受するのに使用していたワイヤレスヘッドホン４０のＩＤ情報とを１対１に対応付けたデータ）が作成され、各表示ユニット３０のメモリ部３６にそれぞれ格納されているものとする。
【００４２】
この前提条件の下で、最初のステップＳ１では、表示ユニット３０において制御部３１により、イグニションキーがＡＣＣ「オン」の位置に設定された（ＹＥＳ）か否（ＮＯ）か、すなわち、本システム５０の電源が「オン」の状態とされたか否かを判定する。判定結果がＹＥＳの場合には次のステップＳ２に進み、判定結果がＮＯの場合には本処理フローは「終了」となる。
【００４３】
次のステップＳ２では、表示ユニット３０において制御部３１により、対応するリモコン２０からの操作指示に基づき電源が「オン」の状態とされた（ＹＥＳ）か否（ＮＯ）かを判定する。判定結果がＹＥＳの場合には次のステップＳ３に進み、判定結果がＮＯの場合にはステップＳ１に戻って上記の処理を繰り返す。
【００４４】
次のステップＳ３では、表示ユニット３０において制御部３１により、他の「オン」状態にある表示ユニット３０の制御部３１と協働して、当該他の「オン」中の表示ユニット３０において視聴されているＡ／Ｖソースが変更された（ＹＥＳ）か否（ＮＯ）かを判定する。判定結果がＹＥＳの場合には次のステップＳ４に進み、判定結果がＮＯの場合にはステップＳ５に進む。
【００４５】
ステップＳ４では、表示ユニット３０において制御部３１により、メモリ部３６に格納されている管理テーブル（「ソース」情報と「ＩＤ」情報を対応付けたデータ）のうち、他の「オン」中の表示ユニット３０において変更されたソースに対応する「ソース」情報を更新する。つまり、管理テーブルの内容を他の表示ユニット３０における管理テーブルの内容と一致させる。
【００４６】
次のステップＳ５では、表示ユニット３０において制御部３１により、赤外線通信部３２と協働して、いずれかのワイヤレスヘッドホン４０のＩＤ情報を含む赤外線ＩＤを受信した（ＹＥＳ）か否（ＮＯ）かを判定する。判定結果がＹＥＳの場合には次のステップＳ６に進み、判定結果がＮＯの場合にはステップＳ３に戻って上記の処理を繰り返す。
【００４７】
次のステップＳ６では（つまり、当該リヤ席にヘッドホン４０を装着したユーザが着座した場合）、表示ユニット３０において制御部３１により、ステップＳ４で行った処理と同様にして、メモリ部３６に格納されている管理テーブルのうち、その受信したＩＤ情報に対応する「ＩＤ」情報をその「ソース」情報とリンクさせて更新する。つまり、管理テーブルの内容を他の表示ユニット３０における管理テーブルの内容と一致させる。
【００４８】
次のステップＳ７では、表示ユニット３０において制御部３１により、メモリ部３６に格納されている管理テーブルを参照して、受信した当該ＩＤ情報から、当該リヤ席に着座したユーザが座席移動前に享受していたソース（図４の画面表示例では「ＤＶＤ」）を特定する。
【００４９】
次のステップＳ８では、表示ユニット３０において制御部３１により、その特定したソースの映像／音声への切替制御を行う。すなわち、制御部３１により、メモリ部３６に格納されている「Ａ／Ｖ取得状態データ」を参照して、その特定したソース（この場合、ＤＶＤプレーヤ３）にアクセスして映像／音声データを取得し、表示ドライバ３４を介して表示部３３に対しそのディスプレイ画面に当該ソースの映像を表示させると共に、ＲＦ送信部３５（アンテナ３５ａ）を介してワイヤレスヘッドホン４０に対し当該ソースの音声を出力させる。この後、ステップＳ２に戻って上記の処理を繰り返す。
【００５０】
以上説明したように、本実施形態に係る車載用Ａ／Ｖシステム１０によれば、各リヤ席毎に設けられた表示ユニット３０に動作可能に接続されたワイヤレスヘッドホン４０に、当該ヘッドホンを固有に識別するＩＤ情報をもたせ、さらに、いずれかのワイヤレスヘッドホン４０を装着したユーザが享受し又は享受していたＡ／Ｖソースと当該ヘッドホンのＩＤ情報とを対応付けた管理テーブル（メモリ部３６）を備えている。従って、リヤ席のユーザがいったん設定操作をして所望のソースの映像／音声情報を享受していた場合において、別のリヤ席に移動した場合でも（図４参照）、制御部３１により、その移動後のリヤ席で受信したＩＤ情報から、管理テーブルを参照して、当該リヤ席に着座したユーザが座席移動前に享受していたソースを特定することができる。そして、この結果に基づき、当該ソースの映像／音声への切替制御を行っている。
【００５１】
このように本実施形態によれば、リヤ席のユーザがいったん設定操作をして所望のソースの情報を享受していた場合において別のリヤ席に移動したときに、その移動後のリヤ席で再度設定操作を行わなくても、今まで享受していたソースの情報を引き続き享受することができる。
【００５２】
特に、Ｍｉｎｉ−ｖａｎやＳＵＶなど車室内移動が容易に行えるような大型車両に適用された場合、「車の乗り降り」の場合とは違い、リヤ席のユーザがいったん設定操作をして所望のソースの情報を享受している状態で別のリヤ席に移動する直前の時点から移動直後の時点までの時間は極めて短いため、ユーザから見れば、今まで享受していたソースの映像／音声を実質的に継続して享受している状態と変わらず、この点でユーザメリットの向上に大いに寄与する。
【００５３】
上述した実施形態では、各リヤ席用表示ユニット３０にそれぞれ同一内容の管理テーブルを保有させ、各表示ユニット３０間で互いに協働して直接通信を行うことで、リヤ席のユーザの座席移動に伴うソースの映像／音声出力の切替制御を行う場合を例にとって説明したが、本発明の要旨（ユーザの座席移動に合わせて映像／音声出力を切り替えること）からも明らかなように、ソース出力の切替制御の形態はこれに限定されないことはもちろんである。例えば、各リヤ席用表示ユニット３０に管理テーブルを保有させる代わりに、当該管理テーブルをＨ／Ｕ１０（メモリ部１４）にのみ保有させ、Ｈ／Ｕ１０側から各リヤ席用表示ユニット３０を総括的に管理することで、各表示ユニット３０に対してソースの映像／音声出力の切替を制御することも可能である。
【００５４】
また、上述した実施形態では、リヤ席用にワイヤレスヘッドホン４０を備えた場合を例にとって説明したが、ヘッドホンの形態が「ワイヤレス」タイプのものに限定されないことはもちろんであり、ジャック付きのヘッドホンを使用した場合にも本発明は同様に適用することが可能である。この場合、そのヘッドホンの内部構成については基本的に図３に示したものと同じであり、対応する表示ユニット３０とジャックを介して有線接続されている点で相違する。
【図面の簡単な説明】
【００５５】
【図１】本発明の一実施形態に係る車載用オーディオ／ビデオ（Ａ／Ｖ）システムの構成を概略的に示すブロック図である。
【図２】図１におけるリヤ席用表示ユニットの内部構成を示すブロック図である。
【図３】図１におけるワイヤレスヘッドホンの内部構成を示すブロック図である。
【図４】リヤ席のユーザの座席移動に伴うソース出力の自動切替に係る画面表示の一例を示す図である。
【図５】図１の車載用Ａ／Ｖシステムにおいて行うリヤ席のユーザの座席移動の検出及びそれに基づく映像／音声出力の切替に係る処理の一例を示すフロー図である。
【符号の説明】
【００５６】
１〜５…Ａ／Ｖソース、
６…バス（伝送路）、
１０…フロント席用操作ユニット（Ｈ／Ｕ）、
１１，３１…制御部（制御手段）、
１２…操作部、
１４，３６…メモリ部（メモリ手段）、
１５…フロント席用表示ユニット、
１７…スピーカ、
２０…リヤ席用操作ユニット（リモコン）、
３０…リヤ席用表示ユニット、
３０ａ，３０ｂ…ディスプレイ画面、
３２，４２…赤外線通信部、
３３…表示部（情報表示手段）、
３５…ＲＦ送信部、
４０…ワイヤレスヘッドホン、
４４…（ＩＤ情報格納用）レジスタ、
４５…ＲＦ受信部、
５０…車載用オーディオ／ビデオ（Ａ／Ｖ）システム、
ＡＤ…音声信号、
ＩＤ…ＩＤ情報を含む赤外線、
ＩＲ…赤外線。
【図１】
2007008289.tif 000003
【図２】
2007008289.tif 000004
【図３】
2007008289.tif 000005
【図４】
2007008289.tif 000006
【図５】
2007008289.tif 000007